(57)【特許請求の範囲】
【請求項１】
照明装置を制御する照明制御信号を生成する照明制御装置と、当該照明制御装置と第１プロトコルに従って接続される照明制御信号送信装置と、上記照明装置と第１プロトコルに従って接続された照明制御信号受信装置とを備え、前記照明制御信号送信装置と前記照明制御信号受信装置とが第２プロトコルに従って接続された照明制御システムにおける、照明制御信号送信装置であって、
上記照明制御装置からの照明制御信号を上記第１プロトコルに従って受信する受信手段と、
上記受信手段で上記照明制御信号を受信するのに使用した受信チャネル番号情報と、上記照明制御信号受信装置から上記照明装置に第１プロトコルに従って照明制御信号を送信するのに使用する送信チャネル番号情報と、を対応付けしたアドレステーブルを記憶するアドレステーブル記憶手段と、
上記アドレステーブル記憶手段に記憶された受信チャネル番号情報で設定されたチャネルで上記受信手段が上記照明制御信号を受信したときに、上記アドレステーブルを参照して受信チャネル番号情報に対応した送信チャネル番号情報を認識し、上記受信手段で受信した照明制御信号及び認識した送信チャネル番号情報を含む上記第２プロトコルに従ったデータに変換する変換手段と、
上記変換手段で変換されたデータを、第２プロトコルに従って上記照明制御信号受信装置に送信する送信手段とを備え、
上記アドレステーブルには、上記受信手段で上記照明制御信号を受信するのに使用した受信ポート番号情報と、上記照明制御信号の送信先である上記照明制御信号受信装置の送信先アドレス情報と、上記照明制御信号受信装置から上記照明装置に第１プロトコルに従って照明制御信号を送信するのに使用する送信ポート番号情報とが更に格納され、
上記受信手段で上記照明制御信号を受信するのに使用した受信ポート番号情報及び受信チャネル番号情報と、上記照明制御信号の送信先である上記照明制御信号受信装置の送信先アドレス情報、上記照明制御信号受信装置から上記照明装置に第１プロトコルに従って照明制御信号を送信するのに使用する送信ポート番号情報、及び送信チャネル番号情報と、が対応付けされていることを特徴とする照明制御信号送信装置。
【請求項２】
上記アドレステーブルには、上記照明制御信号受信装置から上記照明装置に第１プロトコルに従って照明制御信号を送信するのに使用するチャネルを複数連続して指定する送信チャネル番号情報が格納され、
上記変換手段は、複数の連続したチャネル番号を指定した送信チャネル番号情報を含み、第２プロトコルに従ったデータに変換することを特徴とする請求項１記載の照明制御信号送信装置。
【請求項３】
上記アドレステーブルには、一のチャネルを指定する受信チャネル番号情報と、チャネルを複数連続して指定する送信チャネル番号情報とを対応付けして格納され、
上記変換手段は、上記一のチャネルを指定する受信チャネル番号情報で設定されたチャネルで上記受信手段が上記照明制御信号を受信したときに、上記アドレステーブルを参照して、上記一のチャネルを指定する受信チャネル番号情報に対応した、上記チャネルを複数連続して指定する送信チャネル番号情報を含む上記第２プロトコルに従ったデータに変換することを特徴とする請求項１記載の照明制御信号送信装置。
【請求項４】
上記アドレステーブルには、チャネルを複数連続して指定する受信チャネル番号情報と、一のチャネルを指定する送信チャネル番号情報とを対応付けして格納され、
上記変換手段は、上記チャネルを複数連続して指定する受信チャネル番号情報で設定されたチャネルで上記受信手段が上記照明制御信号を受信したときに、上記アドレステーブルを参照して、上記チャネルを複数連続して指定する受信チャネル番号情報に対応した、上記一のチャネルを指定する送信チャネル番号情報を含む上記第２プロトコルに従ったデータに変換することを特徴とする請求項１記載の照明制御信号送信装置。
【請求項５】
利用者に操作されて上記アドレステーブルの設定をする端末装置と接続され、この端末装置からの情報に基づいてアドレステーブルを作成して上記アドレステーブル記憶手段に記憶する端末装置接続手段を更に備えることを特徴とする請求項１〜４の何れか一に記載の照明制御信号送信装置。
【請求項６】
上記端末装置は、上記照明制御装置であり、
上記端末装置接続手段は、上記照明制御装置からの情報に基づいてアドレステーブルを作成することを特徴とする請求項５記載の照明制御信号送信装置。
【請求項７】
外部からの要求に応じてアドレステーブル設定画面画像データを送信し、このアドレステーブル設定画面画像データを送信したことに応じて受信したアドレステーブル設定情報に従ってアドレステーブルを作成して上記アドレステーブル記憶手段に記憶するサーバ機能を更に備えることを特徴とする請求項１〜４の何れか一に記載の照明制御信号送信装置。
【請求項８】
照明装置を制御する照明制御信号を生成する照明制御装置と、当該照明制御装置と第１プロトコルに従って接続される照明制御信号送信装置と、上記照明装置と第１プロトコルに従って接続された照明制御信号受信装置とを備え、前記照明制御信号送信装置と前記照明制御信号受信装置とが第２プロトコルに従って接続された照明制御システムであって、
上記照明制御装置は、上記照明装置を制御する照明制御信号を生成し、
上記照明制御信号送信装置は、上記照明制御装置と第１プロトコルに従って信号伝送をする信号線を介して接続され、上記照明制御装置からの照明制御信号を上記第１プロトコルに従って受信する受信手段と、上記受信手段で上記照明制御信号を受信するのに使用した受信チャネル番号情報と、上記照明制御信号受信装置から上記照明装置に第１プロトコルに従って照明制御信号を送信するのに使用する送信チャネル番号情報と、を対応付けしたアドレステーブルを記憶するアドレステーブル記憶手段と、上記アドレステーブル記憶手段に記憶された受信チャネル番号情報で設定されたチャネルで上記受信手段が上記照明制御信号を受信したときに、上記アドレステーブルを参照して受信チャネル番号情報に対応した送信チャネル番号情報を認識し、上記受信手段で受信した照明制御信号及び認識した送信チャネル番号情報を含む上記第２プロトコルに従ったデータに変換する変換手段と、上記変換手段で変換されたデータを、第２プロトコルに従って上記照明制御信号受信装置に送信する送信手段とを備える照明制御信号送信手段とを備え、
上記照明制御信号受信装置は、上記照明制御信号送信装置と上記第２プロトコルに従って信号伝送をする通信回線を介して接続され、上記照明装置と第１プロトコルに従って接続され、
上記アドレステーブルには、上記受信手段で上記照明制御信号を受信するのに使用した受信ポート番号情報と、上記照明制御信号の送信先である上記照明制御信号受信装置の送信先アドレス情報と、上記照明制御信号受信装置から上記照明装置に第１プロトコルに従って照明制御信号を送信するのに使用する送信ポート番号情報とが更に格納され、
上記受信手段で上記照明制御信号を受信するのに使用した受信ポート番号情報及び受信チャネル番号情報と、上記照明制御信号の送信先である上記照明制御信号受信装置の送信先アドレス情報、上記照明制御信号受信装置から上記照明装置に第１プロトコルに従って照明制御信号を送信するのに使用する送信ポート番号情報、及び送信チャネル番号情報と、が対応付けされていることを特徴とする照明制御システム。
【請求項９】
照明装置を制御する照明制御信号を生成する照明制御装置と、上記照明装置と第１プロトコルに従って接続された照明制御信号受信装置とを備え、前記照明制御装置と前記照明制御信号受信装置とが第２プロトコルに従って接続された照明制御システムにおける、照明制御装置であって、
利用者の操作に応じて上記照明装置を制御する照明制御信号を生成する照明制御信号生成手段と、
上記照明制御信号受信装置から上記照明装置に第１プロトコルに従って照明制御信号を送信するのに使用する送信チャネル番号情報を指定するアドレステーブルを記憶するアドレステーブル記憶手段と、
上記照明制御信号生成手段で照明制御信号を生成したときに、上記アドレステーブルを参照して送信チャネル番号情報を認識し、生成した照明制御信号及び認識した送信チャネル番号情報を含む上記第２プロトコルに従ったデータに変換する変換手段と、
上記変換手段で変換されたデータを、第２プロトコルに従って上記照明制御信号受信装置に送信する送信手段とを備え、
上記アドレステーブルには、上記受信手段で上記照明制御信号を受信するのに使用した受信ポート番号情報と、上記照明制御信号の送信先である上記照明制御信号受信装置の送信先アドレス情報と、上記照明制御信号受信装置から上記照明装置に第１プロトコルに従って照明制御信号を送信するのに使用する送信ポート番号情報とが更に格納され、
上記受信手段で上記照明制御信号を受信するのに使用した受信ポート番号情報及び受信チャネル番号情報と、上記照明制御信号の送信先である上記照明制御信号受信装置の送信先アドレス情報、上記照明制御信号受信装置から上記照明装置に第１プロトコルに従って照明制御信号を送信するのに使用する送信ポート番号情報、及び送信チャネル番号情報と、が対応付けされていることを特徴とする照明制御装置。
【発明の詳細な説明】
【０００１】
【発明の属する技術分野】
本発明は、複数の照明装置を備え、照明制御装置により複数の照明装置を制御する照明制御システム、この照明制御システムにおいて照明制御装置と照明装置間に配設された照明制御信号送信装置、照明制御装置に関する。
【０００２】
【従来の技術】
従来より、図１９に示すように構成された照明制御システムが知られれている。この照明制御システムは、利用者に操作される複数の調光器コントローラ１０１から複数の照明装置１０２を制御するための照明制御信号を出力し、パッチパネル１０３や調光盤１０４と呼ばれる照明制御信号中継装置を介して複数の照明装置１０２を制御することが多い。
【０００３】
この照明制御システムでは、調光器コントローラ１０１からパッチパネル１０３に接続されている信号線のうち、３本の信号線１１１Ａがパッチパネル１０３を介して調光盤１０４に接続された調光器を制御するために配線され、１本の信号線１１１Ｂがパッチパネル１０３から直接接続された照明装置１０２を制御するために配線されている。
【０００４】
従来の照明制御システムでは、照明装置１０２を制御するためには、主としてＤＭＸ５１２規格に従った方式を使用しているものが多い。このＤＭＸ５１２規格は、ＥＩＡ／ＴＩＡのシリアル伝送規格であり、一又は複数の照明装置１０２をバスの形態で接続した一本の同軸ケーブルである一系統について最大５１２個の論理チャネルの使用を許可している。
【０００５】
従来の照明制御システムにおいて、調光器コントローラ１０１から送信されるＤＭＸ５１２規格に準拠した照明制御信号は、パッチパネル１０３の物理的な接続関係に従って出力するチャネル番号が割り当てられている。すなわち、図１９に示す照明制御システムでは、各信号線に伝送される照明制御信号ごとに異なるチャネル番号を調光器コントローラ１０１で割り当てていた。
【０００６】
【発明が解決しようとする課題】
従来の照明制御システムにおいて、チャネル番号の割り当てを変更するためには、パッチパネル１０３の物理的な接続を変更する手法、若しくはソフトパッチパネル等の電子的な切り替えが必要となる。
【０００７】
また、従来の照明制御システムでは、一系統当たりで使用可能なチャネル数が５１２となっており、従って一系統当たりで制御可能な照明装置１０２が５１２台までという制限が存在した。したがって、既設の系統数に対応する接続可能台数よりも必要な照明装置１０２の数が多い場合には、系統数を増加させるために、新たにケーブルを施設する必要があった。
【０００８】
このような問題を解決する手法としては、特開平９−３２０７６６号公報に開示されている、照明制御信号に伝送方式として汎用のＬＡＮ（Local Area Network）規格であるイーサネット（Ethernet）を採用したものがある。このような手法では、ＤＭＸ５１２規格に従って動作する照明装置１０２のアドレスと、イーサネットで使用されるアドレスの対応付けが必要となる。
【０００９】
そこで、本発明は、上述した実情に鑑みて提案されたものであり、チャネルの割り当てを柔軟且つ簡易に行うことができ、更に、物理的なケーブルを新たに施設する必要なくチャネルの割り当てをすることができる照明制御信号送信装置、照明制御システム、照明制御装置を提供することを目的とする。
【００１０】
【課題を解決するための手段】
上述の課題を解決するために、請求項１に係る発明では、照明装置を制御する照明制御信号を生成する照明制御装置と、当該照明制御装置と第１プロトコルに従って接続される照明制御信号送信装置と、上記照明装置と第１プロトコルに従って接続された照明制御信号受信装置とを備え、前記照明制御信号送信装置と前記照明制御信号受信装置とが第２プロトコルに従って接続された照明制御システムにおける、照明制御信号送信装置であって、上記照明制御装置からの照明制御信号を上記第１プロトコルに従って受信する受信手段と、上記受信手段で上記照明制御信号を受信するのに使用した受信チャネル番号情報と、上記照明制御信号受信装置から上記照明装置に第１プロトコルに従って照明制御信号を送信するのに使用する送信チャネル番号情報と、を対応付けしたアドレステーブルを記憶するアドレステーブル記憶手段と、上記アドレステーブル記憶手段に記憶された受信チャネル番号情報で設定されたチャネルで上記受信手段が上記照明制御信号を受信したときに、上記アドレステーブルを参照して受信チャネル番号情報に対応した送信チャネル番号情報を認識し、上記受信手段で受信した照明制御信号及び認識した送信チャネル番号情報を含む上記第２プロトコルに従ったデータに変換する変換手段と、上記変換手段で変換されたデータを、第２プロトコルに従って上記照明制御信号受信装置に送信する送信手段とを備え、上記アドレステーブルに、上記受信手段で上記照明制御信号を受信するのに使用した受信ポート番号情報と、上記照明制御信号の送信先である上記照明制御信号受信装置の送信先アドレス情報と、上記照明制御信号受信装置から上記照明装置に第１プロトコルに従って照明制御信号を送信するのに使用する送信ポート番号情報とが更に格納され、上記受信手段で上記照明制御信号を受信するのに使用した受信ポート番号情報及び受信チャネル番号情報と、上記照明制御信号の送信先である上記照明制御信号受信装置の送信先アドレス情報、上記照明制御信号受信装置から上記照明装置に第１プロトコルに従って照明制御信号を送信するのに使用する送信ポート番号情報、及び送信チャネル番号情報と、が対応付けされている。
【００１１】
このような照明制御信号送信装置では、照明制御信号を照明装置まで送信するに際して、受信したときの受信チャネル番号情報に対応した送信チャネル番号情報により照明制御信号送信装置から照明装置に照明制御信号を送信するときの送信チャネル番号を認識し、認識した送信チャネル番号で照明制御信号受信装置から照明装置に照明制御信号を送信するためのデータを作成する。
【００１２】
請求項２に係る発明では、上記アドレステーブルには、上記受信手段から上記照明装置に第１プロトコルに従って照明制御信号を送信するのに使用するチャネルを複数連続して指定する送信チャネル番号情報が格納され、上記変換手段は、複数の連続したチャネル番号を指定した送信チャネル番号情報を含み、第２プロトコルに従ったデータに変換する。
【００１３】
請求項３に係る発明では、上記アドレステーブルには、一のチャネルを指定する受信チャネル番号情報と、チャネルを複数連続して指定する送信チャネル番号情報とを対応付けして格納され、上記変換手段は、上記一のチャネルを指定する受信チャネル番号情報で設定されたチャネルで上記受信手段が上記照明制御信号を受信したときに、上記アドレステーブルを参照して、上記一のチャネルを指定する受信チャネル番号情報に対応した、上記チャネルを複数連続して指定する送信チャネル番号情報を含む上記第２プロトコルに従ったデータに変換する。
【００１４】
請求項４に係る発明では、上記アドレステーブルには、チャネルを複数連続して指定する受信チャネル番号情報と、一のチャネルを指定する送信チャネル番号情報とを対応付けして格納され、上記変換手段は、上記チャネルを複数連続して指定する受信チャネル番号情報で設定されたチャネルで上記受信手段が上記照明制御信号を受信したときに、上記アドレステーブルを参照して、上記チャネルを複数連続して指定する受信チャネル番号情報に対応した、上記一のチャネルを指定する送信チャネル番号情報を含む上記第２プロトコルに従ったデータに変換する。
【００１６】
請求項５に係る発明では、利用者に操作されて上記アドレステーブルの設定をする端末装置と接続され、この端末装置からの情報に基づいてアドレステーブルを作成して上記アドレステーブル記憶手段に記憶する端末装置接続手段を更に備える。
【００１７】
請求項６に係る発明では、上記端末装置は、上記照明制御装置であり、上記端末装置接続手段は、上記照明制御装置からの情報に基づいてアドレステーブルを作成する。
【００１８】
請求項７に係る発明では、外部からの要求に応じてアドレステーブル設定画面画像データを送信し、このアドレステーブル設定画面画像データを送信したことに応じて受信したアドレステーブル設定情報に従ってアドレステーブルを作成して上記アドレステーブル記憶手段に記憶するサーバ機能を更に備える。
【００１９】
請求項８に係る発明では、照明装置を制御する照明制御信号を生成する照明制御装置と、当該照明制御装置と第１プロトコルに従って接続される照明制御信号送信装置と、上記照明装置と第１プロトコルに従って接続された照明制御信号受信装置とを備え、前記照明制御信号送信装置と前記照明制御信号受信装置とが第２プロトコルに従って接続された照明制御システムであって、上記照明制御装置は、上記照明装置を制御する照明制御信号を生成し、上記照明制御信号送信装置は、上記照明制御装置と第１プロトコルに従って信号伝送をする信号線を介して接続され、上記照明制御装置からの照明制御信号を上記第１プロトコルに従って受信する受信手段と、上記受信手段で上記照明制御信号を受信するのに使用した受信チャネル番号情報と、上記照明制御信号受信装置から上記照明装置に第１プロトコルに従って照明制御信号を送信するのに使用する送信チャネル番号情報と、を対応付けしたアドレステーブルを記憶するアドレステーブル記憶手段と、上記アドレステーブル記憶手段に記憶された受信チャネル番号情報で設定されたチャネルで上記受信手段が上記照明制御信号を受信したときに、上記アドレステーブルを参照して受信チャネル番号情報に対応した送信チャネル番号情報を認識し、上記受信手段で受信した照明制御信号及び認識した送信チャネル番号情報を含む上記第２プロトコルに従ったデータに変換する変換手段と、上記変換手段で変換されたデータを、第２プロトコルに従って上記照明制御信号受信装置に送信する送信手段とを備える照明制御信号送信手段とを備え、上記照明制御信号受信装置は、上記照明制御信号送信装置と上記第２プロトコルに従って信号伝送をする通信回線を介して接続され、上記照明装置と第１プロトコルに従って接続され、上記アドレステーブルに、上記受信手段で上記照明制御信号を受信するのに使用した受信ポート番号情報と、上記照明制御信号の送信先である上記照明制御信号受信装置の送信先アドレス情報と、上記照明制御信号受信装置から上記照明装置に第１プロトコルに従って照明制御信号を送信するのに使用する送信ポート番号情報とが更に格納され、上記受信手段で上記照明制御信号を受信するのに使用した受信ポート番号情報及び受信チャネル番号情報と、上記照明制御信号の送信先である上記照明制御信号受信装置の送信先アドレス情報、上記照明制御信号受信装置から上記照明装置に第１プロトコルに従って照明制御信号を送信するのに使用する送信ポート番号情報、及び送信チャネル番号情報と、が対応付けされている。
【００２０】
このような照明制御システムでは、照明制御装置で生成した照明制御信号を照明装置まで送信するに際して、受信したときの受信チャネル番号情報に対応した送信チャネル番号情報により照明制御信号送信装置から照明装置に照明制御信号を送信するときの送信チャネル番号を認識し、認識した送信チャネル番号で照明制御信号受信装置から照明装置に照明制御信号を送信するためのデータを照明制御信号送信装置で作成する。
【００２１】
請求項９に係る発明では、照明装置を制御する照明制御信号を生成する照明制御装置と、上記照明装置と第１プロトコルに従って接続された照明制御信号受信装置とを備え、前記照明制御装置と前記照明制御信号受信装置とが第２プロトコルに従って接続された照明制御システムにおける、照明制御装置であって、利用者の操作に応じて上記照明装置を制御する照明制御信号を生成する照明制御信号生成手段と、上記照明制御信号受信装置から上記照明装置に第１プロトコルに従って照明制御信号を送信するのに使用する送信チャネル番号情報を指定するアドレステーブルを記憶するアドレステーブル記憶手段と、上記照明制御信号生成手段で照明制御信号を生成したときに、上記アドレステーブルを参照して送信チャネル番号情報を認識し、生成した照明制御信号及び認識した送信チャネル番号情報を含む上記第２プロトコルに従ったデータに変換する変換手段と、上記変換手段で変換されたデータを、第２プロトコルに従って上記照明制御信号受信装置に送信する送信手段とを備え、上記アドレステーブルには、上記受信手段で上記照明制御信号を受信するのに使用した受信ポート番号情報と、上記照明制御信号の送信先である上記照明制御信号受信装置の送信先アドレス情報と、上記照明制御信号受信装置から上記照明装置に第１プロトコルに従って照明制御信号を送信するのに使用する送信ポート番号情報とが更に格納され、上記受信手段で上記照明制御信号を受信するのに使用した受信ポート番号情報及び受信チャネル番号情報と、上記照明制御信号の送信先である上記照明制御信号受信装置の送信先アドレス情報、上記照明制御信号受信装置から上記照明装置に第１プロトコルに従って照明制御信号を送信するのに使用する送信ポート番号情報、及び送信チャネル番号情報と、が対応付けされている。
【００２２】
このような照明制御装置では、照明制御信号生成手段装置で生成した照明制御信号を照明装置まで送信するに際して、照明制御信号送信装置から照明装置に照明制御信号を送信するときの送信チャネル番号を認識し、認識した送信チャネル番号で照明制御信号受信装置から照明装置に照明制御信号を送信するためのデータを作成する。
【００２３】
【発明の実施の形態】
以下、本発明の実施の形態について図面を参照して説明する。
【００２４】
本発明は、例えば図１に示すように構成された照明制御システムに適用される。
【００２５】
［照明制御システムの構成］
照明制御システムは、図１に示すように、利用者に操作される複数の照明制御装置１と、各照明制御装置１とＤＭＸ５１２規格により接続された入力側照明制御信号中継装置２と、各照明信号中継装置２を例えばイーサネットなどのＬＡＮ規格に準じたＬＡＮ回線１１に接続する複数のハブ３と、複数の照明装置４と、一又は複数の照明装置４と接続された出力側照明制御信号中継装置５とを備える。
【００２６】
更に、この照明制御システムは、出力側照明制御信号中継装置５に調光盤６が接続されていても良い。この調光盤６では、物理的な配線により複数の照明装置が接続されて、照明制御信号を各調光器に出力する。
【００２７】
また、この照明制御システムでは、ＩＰベースのＬＡＮ回線１１に接続され、利用者により操作されて照明制御装置１の各種設定をする端末装置７を備える。この端末装置７は、入力側照明制御信号中継装置２と出力側照明制御信号中継装置５との接続関係、及び出力側照明制御信号中継装置５と照明装置４との接続関係を論理的に特定する情報を作成する。照明制御装置１においてＤＭＸ５１２信号の送信先や使用ポートや、使用チャネルを特定するための各種情報を設定する。この端末装置７は、ＴＥＬＮＥＴ（TELecommnication NETwork）やＳＮＭＰ（Simple Network Management Protocol）などの通信プロトコルを利用して接続して広告依頼主端末２と接続する。
【００２８】
この端末装置７は、例えばパーソナルコンピュータからなり、主として利用者に操作される操作入力機能、論理的な接続関係を表示する表示機能、作業領域として使用されるメモリ機能、入力側照明制御信号中継装置２との間で通信をする通信機能を有する。
【００２９】
この照明制御システムにおいて、照明制御装置１と入力側照明制御信号中継装置２との間、出力側照明制御信号中継装置５と照明装置４との間、及び出力側照明制御信号中継装置５と調光盤６との間は、照明制御プロトコルであるＤＭＸ５１２規格に準じた信号の送受信が行われる。また、この照明制御システムにおいて、入力側照明制御信号中継装置２とハブ３との間、ハブ３同士間、ハブ３と出力側照明制御信号中継装置５との間は、例えばイーサネットなどの汎用のＬＡＮ規格に準じた信号の送受信が行われる。
【００３０】
このような照明制御システムでは、照明制御装置１が利用者に操作されて、照明装置４を制御するときには、照明制御装置１から入力側照明制御信号中継装置２にＤＭＸ５１２規格に準じた信号の送信をする。次に、入力側照明制御信号中継装置２によりイーサネットの規格に準じた信号に変換してハブ３を介してＬＡＮ回線１１に送信し、ハブ３を介して照明装置４に接続する出力側照明制御信号中継装置５に送信する。次に、出力側照明制御信号中継装置５によりイーサネットの規格に準じた信号から再度ＤＭＸ５１２規格に準じた信号に変換して照明装置４に出力する。これにより、照明制御装置１の操作内容に従った動作を照明装置４に実行する。
【００３１】
「照明制御システムで伝送される信号形態」
図２に、本発明を適用した照明制御システムにおける信号形態を示す。図２（Ａ）に、照明制御装置１から入力側照明制御信号中継装置２に送信されるＤＭＸ５１２規格に準じた信号内容を示し、（Ｂ）に、入力側照明制御信号中継装置２により変換された後のデータであってＬＡＮ回線１１上で伝送されるデータ内容を示し、（Ｃ）に、出力側照明制御信号中継装置５により再度変換された後のＤＭＸ５１２規格に準じた信号内容を示す。
【００３２】
図２（Ａ）によれば、ＤＭＸ５１２信号は、時間的に連続したシリアルデータであり、スタートコード（Start Code）に続いてチャネル番号「１」〜チャネル番号「５１２」のチャネルデータまでが連続してサイクリックに照明制御装置１から入力側照明制御信号中継装置２に出力される。このチャネルデータは、チャネルを使用した照明装置４の照明制御内容を示す。なお、各チャネルデータの先頭にはチャネルデータ開始位置を示す情報、各チャネルのデータの後端にはチャネルデータのデータ終了位置を示す情報が付加される。
【００３３】
図２（Ａ）に示すＤＭＸ５１２信号は、入力側照明制御信号中継装置２により変換されることで、図２（Ｂ）における（ａ）のようにパケットデータに変換される。（ａ）のパケットデータは、ＵＤＰ（User Datagram Protocol）、ＩＰ（Internet Protocol）及びイーサネットの規格に準じたパケット伝送をするために、図２（Ａ）に示したＤＭＸ５１２データの先頭にＵＤＰヘッダフィールド、ＩＰヘッダフィールド、イーサネットヘッダフィールドが順番に設けられると共に、ＤＭＸ５１２データの後端にＦＣＳフィールドが設けられる。ここで、ＩＰヘッダフィールドには、出力側照明制御信号中継装置５のＩＰアドレスが格納されるアドレスフィールドが設けられ、入力側照明制御信号中継装置２により設定される。
【００３４】
（ａ）におけるＤＭＸ５１２フォーマットのＤＭＸ５１２データは、（ｂ）に示すように構成されている。（ｂ）によれば、ＤＭＸ５１２データとしては、出力側照明制御信号中継装置５からＤＭＸ５１２信号を照明装置４に送信するためのポートＩＤフィールド、スタートチャネルフィールド、エンドチャネルフィールド、ＤＭＸ５１２規格に準じた照明制御信号がチャネルごとに格納されるデータフィールドの順に格納される。
【００３５】
（ｂ）に示すＤＭＸ５１２データの内容を具体的に説明すると、（ｃ）に示すように、入力側照明制御信号中継装置２のポート番号「１」を使用すると共に、ポート番号「１」からチャネル番号「１０１」〜チャネル番号「２００」までを使用して、チャネル番号「１０１」〜チャネル番号「２００」に対応するデータを使用して照明装置４を制御するためには、（ｃ）に示すようなパケットデータにする。
【００３６】
そして、出力側照明制御信号中継装置５において、（ｃ）に示すＤＭＸ５１２パケットのＤＭＸ５１２データを受信すると、（ｃ）のチャネル番号「１０１」〜チャネル番号「２００」に対応するデータを、図２（Ｃ）に示すようにＤＭＸ５１２信号の対応する領域に格納する。
【００３７】
「照明制御装置１の構成」
図３に照明制御装置１の構成を示す。照明制御装置１は、照明装置４が照明する舞台などのシーンを示すシーンデータを記憶するデータ記憶部２１と、シーンデータや照明制御内容を示すシーケンスデータなどを表示する表示部２２と、シーンデータを再生する再生部２３と、照明装置４の照明制御内容が利用者により入力されフェーダやその他のスイッチやダイヤル等からなる操作入力部２４と、照明制御装置１の全体を制御するコンソール制御部２５と、入力側照明制御信号中継装置２と接続されたＤＭＸ送信部２６とを備えて構成されている。
【００３８】
このような照明制御装置１では、利用者に操作入力部２４が操作されることで、どの照明装置４を同様に制御するのかを示す照明制御信号をコンソール制御部２５により生成し、生成した照明制御信号をＤＭＸ送信部２６によりＤＭＸ５１２規格に準じた信号形態にして入力側照明制御信号中継装置２に送信する。
【００３９】
また、この照明制御装置１では、操作入力部２４が操作されるときに、正当なアクセス権を有する場合に利用者による各種設定を受け入れる。照明制御装置１は、入力側照明制御信号中継装置２内の後述のアドレステーブルに対して所望する値が入力され、入力された値を入力側照明制御信号中継装置２に送信する。なお、このアドレステーブルに対する値の入力に関しては、後述のチャネル番号割付処理にて説明する。
【００４０】
「入力側照明制御信号中継装置２及び出力側照明制御信号中継装置５の構成」
図４に、入力側照明制御信号中継装置２及び出力側照明制御信号中継装置５の構成を示す。なお、図４の説明においては、入力側照明制御信号中継装置２及び出力側照明制御信号中継装置５を単に「照明制御信号中継装置」と呼ぶ。
【００４１】
照明制御信号中継装置は、インターネットプロトコル（ＩＰ）とＤＭＸ５１２規格とでプロトコル変換をして、照明制御装置１からの照明制御信号の送信や、照明装置４の状態を示す状態信号の受信をする。
【００４２】
この照明制御システムは、図４に示すように、照明制御装置１や照明装置４のＤＭＸ機器と接続されたＤＭＸ受信部３１及びＤＭＸ送信部３２と、ＬＡＮ回線１１と接続されたイーサネットインターフェイス３３とを備える。
【００４３】
ＤＭＸ受信部３１は、ＤＭＸ機器と接続されたＤＭＸインターフェイス４１と、ＤＭＸインターフェイス４１で受信したＤＭＸ５１２信号を受信するＤＭＸ受信部４２と、受信したＤＭＸ５１２信号を一時的に記憶する受信バッファ４３と、プロトコル変換をするプロトコル変換部４４と、プロトコル変換を制御する制御部４５と、アドレステーブルを記憶するアドレステーブル記憶部４６と、アドレステーブルを設定する設定部４７と、送信するデータを一時的に記憶する送信バッファ４８と、ＬＡＮ回線１１と接続されたイーサネット送信部４９とを備える。
【００４４】
ＤＭＸインターフェイス４１は、ＤＭＸ５１２規格に準拠し、ＤＭＸ機器（照明制御装置１）からのＤＭＸ５１２信号を受信し、ＤＭＸ受信部４２に出力する。
【００４５】
ＤＭＸ受信部４２は、連続して送信されるＤＭＸ５１２信号を受信し、受信したＤＭＸ５１２信号を所定期間ごとに受信バッファ４３に書き込む処理をする。
【００４６】
受信バッファ４３は、ＤＭＸ受信部４２で受信したＤＭＸ５１２信号を一時的に記憶して、その内容がプロトコル変換部４４により読み込まれる。
【００４７】
制御部４５は、受信バッファ４３の記憶量を監視し、記憶量に変化があれば受信バッファ４３から変化のあったＤＭＸ５１２信号を取り出してプロトコル変換部４４に入力する制御をする。また、この制御部４５は、アドレステーブル記憶部４６に記憶されたアドレステーブルを読み出してプロトコル変換部４４に出力する処理をする。
【００４８】
アドレステーブル記憶部４６は、出力先、特に入力側照明制御信号中継装置２の場合において、出力側照明制御信号中継装置５でＤＭＸ５１２信号を送信するため、ＤＭＸ５１２信号を入力したポート番号及びチャネル番号、出力側照明制御信号中継装置５のポート番号、出力側照明制御信号中継装置５のＩＰアドレス、ポート番号及びチャネル番号を示すアドレステーブルを記憶している。アドレステーブル記憶部４６は、記憶しているアドレステーブルが設定部４７により設定された状態で記憶されて制御部４５により読み出される。
【００４９】
設定部４７は、端末装置７と接続するため、端末装置７と共通の通信プロトコル、例えばＴＥＬＮＥＴや、ＳＮＭＰを実装し、端末装置７からの情報を受信する。設定部４７は、アドレステーブル記憶部４６に記憶するアドレステーブルを入力する。この設定部４７は、端末装置７と接続されて端末装置７で設定されたアドレステーブルを受信してアドレステーブル記憶部４６に出力する。
【００５０】
プロトコル変換部４４は、図２（Ａ）に示すようなＤＭＸ５１２信号を、ＵＤＰ及びＩＰに従ってプロトコル変換をしてＩＰパケットを生成する。すなわち、プロトコル変換部４４は、受信バッファ４３からのＤＭＸ５１２信号を受信し、アドレステーブル記憶部４６に記憶されたアドレステーブルを参照して、出力先の照明制御信号中継装置のＩＰアドレスをＩＰヘッダのアドレスフィールドに格納し、更にポート番号をＤＭＸ５１２規格のポートＩＤフィールドに格納し、チャネル番号をＤＭＸ５１２規格のチャネル番号フィールドに設定する。
【００５１】
送信バッファ４８は、プロトコル変換部４４でプロトコル変換されたＩＰパケットを一時的に記憶してイーサネット送信部４９に出力する処理をする。
【００５２】
イーサネット送信部４９は、送信バッファ４８に記憶されたＩＰパケットを所定時間ごとに読み出し、ＬＡＮ回線１１に送信するための処理をする。
【００５３】
ＤＭＸ送信部３２は、イーサネットインターフェイス３３と接続されたイーサネット受信部５０と、受信したパケットデータを一時的に記憶する受信バッファ５１と、プロトコル変換をするプロトコル変換部５２と、送信するＤＭＸ５１２信号を一時的に記憶する送信バッファ５３と、ＤＭＸ５１２信号を送信するための処理をするＤＭＸ送信部５４と、ＤＭＸ機器と接続されたＤＭＸインターフェイス５５とを備える。
【００５４】
イーサネット受信部５０は、ＬＡＮ回線１１を介してイーサネットインターフェイス３３と接続された機器から図２（Ａ）（ａ）に示すフォーマットのデータを受信し、受信バッファ５１に出力する。
【００５５】
受信バッファ５１は、イーサネット受信部５０で受信したデータを一時的に保存してプロトコル変換部５２に出力する。
【００５６】
プロトコル変換部５２は、ＵＤＰヘッダ、ＩＰヘッダが付加されたＤＭＸ５１２データを含むＩＰパケットから、ＤＭＸ５１２信号に変換し、変換したＤＭＸ５１２信号を送信バッファ５３に出力する。すなわちプロトコル変換部５２は、ＩＰからＤＭＸ５１２規格へのプロトコル変換をする。
【００５７】
送信バッファ５３は、プロトコル変換部５２からＤＭＸ５１２信号を一時的に記憶してＤＭＸ送信部５４に出力する。
【００５８】
ＤＭＸ送信部５４は、送信バッファ５３に記憶されたＤＭＸ５１２信号を取り出し、図２（Ｃ）に示すように時間的に連続したシリアルデータにしてＤＭＸインターフェイス５５に出力する。
【００５９】
ＤＭＸインターフェイス５５は、ＤＭＸ送信部５４からのＤＭＸ５１２信号を接続されたＤＭＸ機器に送信する。
【００６０】
イーサネットインターフェイス３３は、ＬＡＮ回線１１と接続され、ＬＡＮ回線１１を介して接続された他のＩＰに対応した機器との送受信をする。このイーサネットインターフェイス３３は、送信バッファ４８からのＵＤＰヘッダ及びＩＰヘッダが付加されたＤＭＸ５１２データを含むＩＰパケットにイーサネットヘッダを付加することで図２（Ｂ）（ａ）に示すデータにして送信する。また、このイーサネットインターフェイス３３は、外部からのイーサネットの規格に従ったデータに含まれるイーサネットヘッダを解釈してイーサネット受信部５０に出力する。
【００６１】
「入力側照明制御信号中継装置２の動作」
上述した構成を有する入力側照明制御信号中継装置２は、操作する利用者の操作により端末装置７が設定部４７にアクセスすることでアドレステーブルを設定するチャネル番号割付処理をし、設定部４７により作成したアドレステーブルをアドレステーブル記憶部４６に格納する。ここで、入力側照明制御信号中継装置２は、アドレステーブルにチャネルを割り当てる情報が設定されており、かつＤＭＸ５１２信号をＤＭＸインターフェイス４１により受信した場合にのみ、プロトコル変換部４４によりアドレステーブルに従ったプロトコル変換処理をして照明制御装置１からのＤＭＸ５１２信号をＩＰパケットに変換してＬＡＮ回線１１に送信する。
【００６２】
これにより、入力側照明制御信号中継装置２は、アドレステーブルに従った出力側照明制御信号中継装置５のポート、チャネルを使用して、指定した照明装置４の照明制御をすることができる。
【００６３】
「出力側照明制御信号中継装置５の動作」
上述した構成を有する出力側照明制御信号中継装置５は、イーサネット受信部５０でＬＡＮ回線１１を介して受信したデータを、受信バッファ５１に一時的に蓄積し、プロトコル変換部５２に出力する。そして、プロトコル変換部５２では、ＩＰヘッダに記述されたポート番号やチャネルの情報を参照し、ＤＭＸ５１２データに変換し、送信バッファ５３に出力する。そして、ＤＭＸ５１２データは、ＤＭＸ送信部５４及びＤＭＸインターフェイス５５によりＤＭＸ５１２信号とされてＤＭＸ５１２規格に従ってＩＰヘッダに記述されたポート番号、チャネルを使用して、指定された照明装置４に照明制御信号を送信する。
【００６４】
「調光盤６の構成」
図５に、調光盤６の構成を示す。図５からわかるように、調光盤６は、出力側照明制御信号中継装置５などのＤＭＸ５１２規格に対応した機器と接続されたＤＭＸ受信部６１と、ＤＭＸ５１２信号を解釈して照明制御信号を生成する制御部６２と、制御部６２からの照明制御信号に従って物理的なチャネルを使用して照明制御信号を制御対象となる照明装置４に出力する調光器６３とを備える。
【００６５】
このような調光盤６では、照明制御装置１で生成された照明制御信号を入力側照明制御信号中継装置２、ＬＡＮ回線１１、ハブ３及び出力側照明制御信号中継装置５を介して受信し、シリアルデータ中に含まれるチャネル番号の領域を認識してチャネル番号に対応した照明装置４に照明制御信号を出力する。
【００６６】
［入力側照明制御信号中継装置２のチャネル番号割付処理］
「第１チャネル番号割付処理」
図６に、入力側照明制御信号中継装置２による第１チャネル番号割付処理を行ったときのアドレステーブルの一例を示す。このアドレステーブルは、入力側照明制御信号中継装置２で照明制御装置１からのＤＭＸ５１２信号を受信するのに使用するポート番号７１、チャネル番号７２を指定し、更に、出力側照明制御信号中継装置５のＩＰアドレス７３、ＤＭＸ５１２信号を照明装置４に出力するのに使用するポート番号７４及びチャネル番号７５を指定するように構成されている。
【００６７】
すなわち、第１チャネル番号割付処理は、設定部４７により、入力側照明制御信号中継装置２でＤＭＸ５１２信号を受信するのに使用するチャネル番号を各ポートについて指定し、更に、指定したポート及びチャネルを使用して受信したＤＭＸ５１２信号をＬＡＮ回線１１を介して受信する出力側照明制御信号中継装置５のＩＰアドレス、出力側照明制御信号中継装置５から照明装置４にＤＭＸ５１２信号を送信するのに使用するポート及びチャネルを指定する処理である。そして、端末装置７は、指定して得たポート番号７１，チャネル番号７２，ＩＰアドレス７３，ポート番号７４，チャネル番号７５を示す情報を入力側照明制御信号中継装置２に送信する。
【００６８】
入力側照明制御信号中継装置２の設定部４７では、端末装置７を介して適切な値が入力されることで、指定可能な情報を取得し、アドレステーブルを作成してアドレステーブル記憶部４６に記憶する。
【００６９】
図６に示す一例では、ポート番号「１」のポートのチャネル番号「１」、「２」、「１０」を使用して受信したＤＭＸ５１２信号を、ＩＰアドレスが「１９２．１６８．１．３」が付与された出力側照明制御信号中継装置５に送信し、出力側照明制御信号中継装置５のポート番号「１」、「１」、「２」のポートのチャネル「１０１」、「１０２」、「１０」を使用して照明装置４に送信するアドレステーブルを作成する場合を示した。また、図６では、ポート番号「２」のポートのチャネル番号「１」、「１０」、「１００」を使用して受信したＤＭＸ５１２信号を、ＩＰアドレスが「１９２．１６８．１．４」が付与された出力側照明制御信号中継装置５に送信し、出力側照明制御信号中継装置５のポート番号「１」、「２」、「２」のポートのチャネル「１０１」、「１０」、「１００」を使用して照明装置４に送信するアドレステーブルを作成する場合を示した。
【００７０】
このようなアドレステーブルを使用してＤＭＸ５１２信号により照明装置４を制御するときには、指定されたＤＭＸインターフェイス４１のポート番号及びチャネル番号で受信したＤＭＸ５１２信号を、プロトコル変換部４４でプロトコル変換するに際して、ＩＰヘッダのアドレスフィールドに指定されたＩＰアドレスを格納し、ＤＭＸ５１２データ内に出力側照明制御信号中継装置５から照明装置４にＤＭＸ５１２信号を送信するのに使用する指定されたポート番号及びチャネル番号を格納する。
【００７１】
出力側照明制御信号中継装置５では、アドレステーブルに従って作成されたＩＰパケットを受信すると、ＩＰヘッダのアドレスフィールドに格納されたＩＰアドレスを参照することで自身に送信されたＩＰパケットであることを認識する。次に、出力側照明制御信号中継装置５では、ＤＭＸ５１２フォーマットのポートＩＤフィールドに格納された指定されたポート番号を参照してＤＭＸ５１２信号を出力するポートを認識する。次に、出力側照明制御信号中継装置５では、スタートフィールド又はエンドフィールドに格納された指定されたチャネル番号を参照することにより、出力するチャネルを認識し、これにより、指定されたポート、チャネルでデータフィールドに格納されたＤＭＸ５１２信号を照明装置４に送信する。
【００７２】
このような第１チャネル割付処理を行う照明制御システムによれば、利用者が端末装置７を操作することで、チャネルの割付を全て設定して入力側照明制御信号中継装置２によりアドレステーブルを作成することができるので、物理的な配線を必要としない。したがって、この照明制御システムによれば、チャネルの割り当てを柔軟且つ簡易に行うことができ、更に、物理的なケーブルを新たに施設する必要なくチャネルの割り当てをすることができる。
【００７３】
また、この照明制御システムによれば、チャネルを指定するアドレステーブルを作成し、このアドレステーブルを参照して入力側照明制御信号中継装置２によりＩＰパケットを生成して照明制御信号を送信することができるので、ポート単位で指定して信号を送信する場合と比較して細かいチャネルの割り当てが実現できる。
【００７４】
更に、この照明制御システムによれば、端末装置７の操作によりアドレステーブルを作成するので、チャネル割付に際してＤＭＸ５１２信号の入力及び出力共に制限されることが無く、入力側照明制御信号中継装置２で受信した信号経路を自由に指定することができる。
【００７５】
更にまた、この照明制御システムによれば、物理的なケーブルの敷設が必要なのを論理チャネルを使用して理論上で無数のチャネルを扱うことができる。
【００７６】
更にまた、この照明制御システムによれば、出力側照明制御信号中継装置５の設定などを考慮することなく、入力側照明制御信号中継装置２のみの設定で全ての経路を指定することができる。
【００７７】
「第２チャネル番号割付処理」
図７に、入力側照明制御信号中継装置２による第２チャネル番号割付処理を行ったときのアドレステーブルの一例を示す。このアドレステーブルは、入力側照明制御信号中継装置２で照明制御装置１からのＤＭＸ５１２信号を受信するのに使用するポート番号７１、複数の連続したチャネルの範囲を指定するためのスタートチャネル番号７６及びエンドチャネル番号７７を指定し、更に、出力側照明制御信号中継装置５のＩＰアドレス７３、ＤＭＸ５１２信号を照明装置４に出力するのに使用するポート番号７４及び複数の連続したチャネルの範囲を指定するためのスタートチャネル番号７８及びエンドチャネル番号７９を指定するように構成されている。
【００７８】
すなわち、第２チャネル番号割付処理は、設定部４７により、入力側照明制御信号中継装置２でＤＭＸ５１２信号を受信するのに使用するチャネル番号の範囲を各ポートについて指定し、更に、指定したポート及びチャネルを使用して受信したＤＭＸ５１２信号をＬＡＮ回線１１を介して受信する出力側照明制御信号中継装置５のＩＰアドレス、出力側照明制御信号中継装置５から照明装置４にＤＭＸ５１２信号を送信するのに使用するポート及びチャネルの範囲を指定する処理である。そして、端末装置７は、指定して得たポート番号７１，スタートチャネル番号７６及びエンドチャネル番号７７，ＩＰアドレス７３，ポート番号７４、スタートチャネル番号７８及びエンドチャネル番号７９を示す情報を入力側照明制御信号中継装置２に送信する。
【００７９】
入力側照明制御信号中継装置２の設定部４７では、端末装置７を介して適切な値が入力されることで、指定可能な情報を取得し、アドレステーブルを作成してアドレステーブル記憶部４６に記憶する。
【００８０】
図７に示す一例では、ポート番号「１」のポートのスタートチャネル番号「１」からエンドチャネル番号「１００」までの連続するチャネル、及びポート番号「１０１」のポートのスタートチャネル番号「１０１」からエンドチャネル番号「２００」までの連続するチャネルを使用して受信したＤＭＸ５１２信号を、ＩＰアドレスが「１９２．１６８．１．３」が付与された出力側照明制御信号中継装置５に送信し、出力側照明制御信号中継装置５のポート番号「１」のポートのスタートチャネル番号「１」からエンドチャネル番号「１００」までの連続するチャネル、スタートチャネル番号「１０１」からエンドチャネル番号「２００」までの連続するチャネルを使用して照明装置４に送信するアドレステーブルを作成する場合を示した。また、図７では、ポート番号「２」のポートのチャネル番号「１」、「１０」、「１００」を使用して受信したＤＭＸ５１２信号を、ＩＰアドレスが「１９２．１６８．１．４」が付与された出力側照明制御信号中継装置５に送信し、出力側照明制御信号中継装置５のポート番号「１」、「２」、「２」のポートのチャネル「１０１」、「１０」、「１００」を使用して照明装置４に送信するアドレステーブルを作成する場合を示した。
【００８１】
このようなアドレステーブルを使用してＤＭＸ５１２信号により照明装置４を制御するときには、指定されたＤＭＸインターフェイス４１のポート番号及びチャネル番号で受信したＤＭＸ５１２信号を、プロトコル変換部４４でプロトコル変換するに際して、ＩＰヘッダのアドレスフィールドに指定されたＩＰアドレスを格納し、ＤＭＸ５１２データ内に出力側照明制御信号中継装置５から照明装置４にＤＭＸ５１２信号を送信するのに使用する指定されたポート番号、及び指定された範囲のチャネル番号を格納する。
【００８２】
出力側照明制御信号中継装置５では、アドレステーブルに従って作成されたＩＰパケットを受信すると、ＩＰアドレスを参照して自身に送信されたＩＰパケットであることを認識し、ポートＩＤフィールドに格納された指定されたポート番号を参照してＤＭＸ５１２信号を出力するポートを認識する。次に、出力側照明制御信号中継装置５では、スタートフィールド及びエンドフィールドに格納された指定されたチャネル番号を参照することにより、出力するチャネルの範囲を認識する。これにより、出力側照明制御信号中継装置５は、指定されたポートを使用し、指定された範囲のチャネルと、データフィールドに格納されたチャネルに対応するＤＭＸ５１２信号を照明装置４に送信する。
【００８３】
このような第２チャネル割付処理を行う照明制御システムによれば、連続した一連のチャネルを一括して指定することができるので、１チャネルごとに指定した場合と比較してより簡易に照明制御信号の送信を行うことができる。
【００８４】
また、この照明制御システムによれば、相互に隣接した各照明装置４には連続したチャネル番号が割り当てられることが多いことを利用し、連続した一連のチャネル番号を割り当てることができるので、連続したチャネル番号を有する照明装置４に対するチャネル割り当てを容易とすることができる。
【００８５】
［照明制御システムによるスプリット処理］
本発明を適用した照明制御システムにおいて、入力側照明制御信号中継装置２のＤＭＸ５１２信号を入力した一つのチャネルに対して複数の出力側照明制御信号中継装置５又は出力側照明制御信号中継装置５の複数のポートからＤＭＸ５１２信号を照明装置４に出力するスプリット処理を実現することができる。以下、第１スプリット処理〜第３スプリット処理を順次説明する。
【００８６】
「第１スプリット処理」
第１スプリット処理では、図８に示すように、チャネル番号「１〜２００」を指定して、照明制御装置１から入力側照明制御信号中継装置２のポート番号１のポートにＤＭＸ５１２信号が入力されるとする。
【００８７】
ここで、アドレステーブル記憶部４６に格納されるアドレステーブルは、図９のように端末装置７で設定されて設定部４７によりアドレステーブル記憶部４６に格納されている。
【００８８】
すると、入力側照明制御信号中継装置２では、ポート番号「１」のチャネル番号「１〜２００」を使用して受信したＤＭＸ５１２信号を含み、アドレステーブルを参照してプロトコル変換部４４により作成したＩＰパケットを作成して、ＩＰアドレスが「１９２．１６８．１．２」の出力側照明制御信号中継装置５Ａ、ＩＰアドレスが「１９２．１６８．１．３」の出力側照明制御信号中継装置５Ｂに送信する。
【００８９】
出力側照明制御信号中継装置５Ａ及び出力側照明制御信号中継装置５Ｂは、ＩＰパケットのＩＰアドレスを参照して自身に送信されたＩＰパケットであることを認識して受信する。
【００９０】
次に、出力側照明制御信号中継装置５Ａでは、ＤＭＸ５１１２フォーマットのポート番号フィールド、スタートチャネルフィールド及びエンドチャネルフィールドを参照して、ＤＭＸ５１２信号を出力するポート番号「１」、チャネルの範囲を認識し、ＤＭＸ５１２データから自身が送信するチャネル「１〜１００」に対応するＤＭＸ５１２データを取り出して照明装置４に送信する。
【００９１】
一方、出力側照明制御信号中継装置５Ｂでは、ＤＭＸ５１１２フォーマットのポート番号フィールド、スタートチャネルフィールド及びエンドチャネルフィールドを参照して、ＤＭＸ５１２信号を出力するポート番号「２」、チャネルの範囲を認識し、ＤＭＸ５１２データから自身が送信するチャネル「１０１〜２００」に対応するＤＭＸ５１２データを取り出して照明装置４に送信する。
【００９２】
「第２スプリット処理」
第２スプリット処理は、図１０に示すように、チャネル番号「１〜２００」を指定して、照明制御装置１から入力側照明制御信号中継装置２のポート番号１のポートにＤＭＸ５１２信号が入力される。
【００９３】
ここで、アドレステーブル記憶部４６に格納されるアドレステーブルは、出力側照明制御信号中継装置５のポート番号「１」からチャネル番号「１〜１００」のＤＭＸ５１２信号を出力すると共に、ポート番号「２」からチャネル番号「１０１〜２００」のＤＭＸ５１２信号を出力するように設定されている。
【００９４】
そして、入力側照明制御信号中継装置２では、このアドレステーブルを参照してＩＰパケットを生成して出力側照明制御信号中継装置５に出力し、出力側照明制御信号中継装置５によりＩＰアドレス、ポート番号「１」，「２」及び各ポート番号に対応したチャネル番号の範囲を認識する。これにより、出力側照明制御信号中継装置５は、アドレステーブルに従ってＤＭＸ５１２信号を照明装置４に送信する。
【００９５】
「第３スプリット処理」
第３スプリット処理は、図１１に示すように、チャネル番号「１〜５１２」を指定して、照明制御装置１から入力側照明制御信号中継装置２のポート番号１のポートにＤＭＸ５１２信号が入力される。なお、この第３スプリット処理を行う照明制御システムでは、入力側照明制御信号中継装置２Ａ、２Ｂに直接照明装置４が接続されている場合について説明する。
【００９６】
ここで、アドレステーブル記憶部４６に格納されるアドレステーブルは、入力側照明制御信号中継装置２のポート番号「２」からチャネル番号「１〜５０」のＤＭＸ５１２信号を出力し、出力側照明制御信号中継装置５Ａのポート番号「１」からチャネル番号「５０〜１００」のＤＭＸ５１２信号を出力し、出力側照明制御信号中継装置５Ｂのポート番号「２」からチャネル番号「１０１〜２０００」のＤＭＸ５１２信号を出力し、 出力側照明制御信号中継装置５Ｃのポート番号「１」からチャネル番号「２０１〜３００」のＤＭＸ５１２信号を出力し、出力側照明制御信号中継装置５Ｃのポート番号「２」からチャネル番号「３０１〜４００」のＤＭＸ５１２信号を出力し、入力側照明制御信号中継装置２Ｂのポート番号「１」からチャネル番号「５０１〜５１２」のＤＭＸ５１２信号を出力するように設定されている。
【００９７】
そして、入力側照明制御信号中継装置２Ａでは、このアドレステーブルを参照してＩＰパケットを生成して各装置２Ａ、２Ｂ、６Ａ、６Ｂ、６Ｃに出力し、各装置２Ａ、２Ｂ、６Ａ、６Ｂ、６ＣによりＩＰアドレス、ポート番号及び各ポート番号に対応したチャネル番号の範囲を認識する。これにより、各装置２Ａ、２Ｂ、６Ａ、６Ｂ、６Ｃは、アドレステーブルに従ってＤＭＸ５１２信号を送信する。
【００９８】
このようなスプリット処理を行う照明制御システムによれば、一連のＤＭＸ５１２信号を照明制御装置１から入力側照明制御信号中継装置２に送信したときに、入力側照明制御信号中継装置２により複数の出力側照明制御信号中継装置５に同時に配信して、各出力側照明制御信号中継装置５により自身が照明装置４に送信するチャネル、チャネルに対応したＤＭＸ５１２データを認識して、同時に複数の照明装置４を動作させることができる。
【００９９】
したがって、このような照明制御システムによれば、例えば照明制御装置１に設けられている一つのフェーダを利用者が操作した場合に、同時に複数の照明装置４に同じ動作をさせて同じ明るさで舞台を照明するような、同期回路的な使用方法が可能となる。また、この照明制御システムでは、入力側照明制御信号中継装置２にアドレステーブルを一度設定して記憶しておくだけで、照明制御装置１で利用者が改めて操作する必要なく、設定されたチャネルに照明制御信号を送出するだけで複数の照明装置４を同時に制御することができる。
【０１００】
［照明制御システムにおけるマージ処理］
本発明を適用した照明制御システムにおいて、入力側照明制御信号中継装置２の複数のポート又は複数の入力側照明制御信号中継装置２に、一又は複数のチャネルを使用して入力されたＤＭＸ５１２信号を、一つの出力側照明制御信号中継装置５の一つのポートから照明装置４に出力するマージ処理を実現することができる。以下、第１マージ処理〜第３マージ処理を順次説明する。
【０１０１】
「第１マージ処理」
第１マージ処理は、図１２に示すように、チャネル番号「１〜１００」を指定して照明制御装置１から入力側照明制御信号中継装置２Ａのポート番号１のポートにＤＭＸ５１２信号が入力されると共に、チャネル番号「１〜１００」を指定して照明制御装置１から入力側照明制御信号中継装置２Ｂのポート番号２のポートにＤＭＸ５１２信号が入力される。
【０１０２】
ここで、入力側照明制御信号中継装置２Ａのアドレステーブル記憶部４６に格納されるアドレステーブルは図１３のように端末装置７で設定されて設定部４７によりアドレステーブル記憶部４６に格納されており、入力側照明制御信号中継装置２Ｂのアドレステーブル記憶部４６に格納されるアドレステーブルは図１４のように端末装置７で設定されて設定部４７によりアドレステーブル記憶部４６に格納されている。
【０１０３】
すると、入力側照明制御信号中継装置２Ａでは、ポート番号「１」のチャネル番号「１〜１００」を使用して受信したＤＭＸ５１２信号を含み、アドレステーブルを参照してプロトコル変換部４４により作成したＩＰパケットを作成して、ＩＰアドレスが「１９２．１６８．１．３」の出力側照明制御信号中継装置５に送信する。また、入力側照明制御信号中継装置２Ｂでは、ポート番号「２１」のチャネル番号「１〜１００」を使用して受信したＤＭＸ５１２信号を含み、アドレステーブルを参照してプロトコル変換部４４により作成したＩＰパケットを作成して、ＩＰアドレスが「１９２．１６８．１．３」の出力側照明制御信号中継装置５に送信する。
【０１０４】
出力側照明制御信号中継装置５は、入力側照明制御信号中継装置２ＡからのＩＰパケットと入力側照明制御信号中継装置２ＢからのＩＰパケットについて、ＩＰヘッダのＩＰアドレスを参照して自身に送信されたＩＰパケットであることを認識して受信する。
【０１０５】
次に、出力側照明制御信号中継装置５では、入力側照明制御信号中継装置２Ａ及び入力側照明制御信号中継装置２Ｂから受信した両方のＩＰパケットのデータフィールドを参照して、ＤＭＸ５１２フォーマットのポート番号フィールド、スタートチャネルフィールド及びエンドチャネルフィールドを参照し、ＤＭＸ５１２信号を出力するポート番号が双方とも「１」であることを認識する。そして、入力側照明制御信号中継装置２ＡからのＤＭＸ５１２データをチャネル番号「１〜１００」までを使用して送信すると共に、入力側照明制御信号中継装置２ＢからのＤＭＸ５１２データをチャネル番号「１０１〜２００」までを使用して照明装置４に送信する。
【０１０６】
「第２マージ処理」
第２マージ処理は、図１５に示すように、チャネル番号「１〜１００」を指定して入力側照明制御信号中継装置２Ａのポート番号１のポートにＤＭＸ５１２信号が入力され、チャネル番号「１０１〜２００」を指定して入力側照明制御信号中継装置２Ｂのポート番号１のポートにＤＭＸ５１２信号が入力され、チャネル番号「２０１〜３００」、「３０１〜４００」を指定して入力側照明制御信号中継装置２Ｃのポート番号１、２のポートにＤＭＸ５１２信号が入力される。
【０１０７】
ここで、入力側照明制御信号中継装置２Ａ〜２Ｃのアドレステーブル記憶部４６に格納される各アドレステーブルは、出力側照明制御信号中継装置５のポート番号「１」からＤＭＸ５１２信号を出力するように設定されている。
【０１０８】
入力側照明制御信号中継装置２Ａ〜２Ｃは、記憶しているアドレステーブルを参照して、出力側照明制御信号中継装置５のＩＰアドレス、ポート番号及びチャネル番号を設定してＩＰパケットを送信する。
【０１０９】
出力側照明制御信号中継装置５では、入力側照明制御信号中継装置２Ａ〜２Ｃから送信された複数のＩＰパケットに含まれる各ＤＭＸ５１２データを、照明装置４に送信するためにＤＭＸ５１２信号の対応するチャネルに格納して、照明装置４に送信する。
【０１１０】
「第３マージ処理」
第３マージ処理は、図１６に示すように、チャネル番号「１〜１００」を指定して入力側照明制御信号中継装置２のポート番号１のポートにＤＭＸ５１２信号が入力され、チャネル番号「１０１〜２００」を指定して入力側照明制御信号中継装置２のポート番号２のポートにＤＭＸ５１２信号が入力される。
【０１１１】
ここで、入力側照明制御信号中継装置２のアドレステーブル記憶部４６に格納されるアドレステーブルは、出力側照明制御信号中継装置５のポート番号「１」からチャネル番号「１〜２００」を使用してＤＭＸ５１２信号を出力するように設定されている。
【０１１２】
入力側照明制御信号中継装置２は、記憶しているアドレステーブルを参照して、出力側照明制御信号中継装置５のＩＰアドレス、ポート番号及びチャネル番号を設定してＩＰパケットを送信する。
【０１１３】
出力側照明制御信号中継装置５では、入力側照明制御信号中継装置２から送信された複数のＩＰパケットに含まれる各ＤＭＸ５１２データを、照明装置４に送信するためにＤＭＸ５１２信号の対応するチャネルに格納して、照明装置４に送信する。
【０１１４】
「第４マージ処理」
第４マージ処理は、図１７に示すように、チャネル番号「１〜１００」を指定して入力側照明制御信号中継装置２のポート番号「１」のポートにＤＭＸ５１２信号が入力され、チャネル番号「１０１〜２００」を指定してポート番号２のポートにＤＭＸ５１２信号が入力される。この第４マージ処理を行う照明制御システムでは、入力側照明制御信号中継装置２に直接照明装置４が接続されている場合について説明する。
【０１１５】
ここで、入力側照明制御信号中継装置２のアドレステーブル記憶部４６に格納されるアドレステーブルは、入力側照明制御信号中継装置２のポート番号「３」からチャネル番号「１〜２００」を使用してＤＭＸ５１２信号を出力するように設定されている。
【０１１６】
入力側照明制御信号中継装置２は、記憶しているアドレステーブルを参照して、入力側照明制御信号中継装置２のポート番号及びチャネル番号を設定してポート番号「３」に接続された照明装置４にＤＭＸ５１２信号を送出する。
【０１１７】
このようなマージ処理を行う照明制御システムによれば、複数の入力側照明制御信号中継装置２に、一つの出力側照明制御信号中継装置５から照明装置４にＤＭＸ５１２信号を送信するアドレステーブルを設定することにより、一つのケーブルに接続された一系統の同じ又は異なる照明装置４を複数の照明制御装置１から操作することができる。したがって、この照明制御システムによれば、アドレステーブルの設定のみにより、柔軟且つ簡単に複雑な経路を設定することができ、更には新たなケーブルなどを敷設する必要はない。
【０１１８】
［照明制御装置１の他の構成］
図１７に、照明制御装置１の他の構成を示す。なお、上述と同じ部分については同じ符号を付することによりその詳細な説明を省略する。
【０１１９】
この照明制御装置１は、上述した図３に示す照明制御装置１に、入力側照明制御信号中継装置２の機能を追加して構成されている。
【０１２０】
この照明制御装置１は、上述の照明制御装置１と同じ機能を有する照明制御機能部８１を備える。この照明制御機能部８１は、利用者に操作されることで、ＤＭＸ５１２規格に準じた照明制御信号を生成してデータ送信部内のデータ制御部８２に出力する。
【０１２１】
また、この照明制御機能部８１は、アドレステーブルの設定を設定部４７とコンソール制御部２５との間で、利用者の操作入力部２４の操作内容に従って行い、アドレステーブル記憶部４６に格納する。
【０１２２】
データ制御部８２は、設定部４７により端末装置７との間で設定されたアドレステーブル記憶部４６に格納されたアドレステーブルが制御部４５から入力され、入力されたアドレステーブルを参照して、ＩＰパケットを生成する。このとき、データ制御部８２は、内部の照明制御機能部８１から出力されたＤＭＸ５１２信号にＩＰヘッダ、ＵＤＰヘッダを付加するときに、アドレステーブルに記述された出力側照明制御信号中継装置５のＩＰアドレスをＩＰヘッダのアドレスフィールドに格納し、ポート番号をＤＭＸ５１２フォーマットのポートＩＤフィールドに格納し、チャネル番号をＤＭＸ５１２フォーマットのスタートチャネルフィールド及び／又はエンドチャネルフィールドに格納する。
【０１２３】
そして、データ制御部８２により生成したＩＰパケットは、送信バッファ４８に出力され、イーサネット送信部４９、イーサネットインターフェイス３３を介してＬＡＮ回線１１に送信される。
【０１２４】
また、この照明制御装置１において、イーサネットインターフェイス３３でＬＡＮ回線１１を介してＩＰパケットを受信したときには、イーサネット受信部５０、受信バッファ５１を介してＩＰパケットを、データ受信部内のデータ制御部８３に入力する。
【０１２５】
データ制御部８３では、ＤＭＸ５１２データに付加されているＵＤＰヘッダ、ＩＰヘッダを解析して、ＤＭＸ５１２信号を取りだして照明制御機能部８１に出力する。
【０１２６】
このような照明制御装置１によれば、図１に示す照明制御システムとは異なり、アドレステーブルの設定をＤＭＸ５１２信号を受信する為の信号線、ＴＥＬＮＥＴやＳＮＭＰを利用して行う必要が無く、簡易な構成で照明制御システムを構築することができる。
【０１２７】
［照明制御システムの他の構成］
照明制御システムは、入力側照明制御信号中継装置２内の設定部４７に、例えばＩＰを利用したインターネット内のＷｅｂサーバとして機能を追加する。そして、端末装置７では、Ｗｅｂ閲覧機能を利用して入力側照明制御信号中継装置２にアクセス可能となる。設定部４７は、端末装置７からのアクセス要求が発生すると、内部に保持したアドレステーブル設定用のＷｅｂ画面画像データを端末装置７に送信し、端末装置７からのアドレステーブルを設定するためのアドレステーブル設定情報に基づいてアドレステーブルの作成をする。そして、設定部４７は、作成したアドレステーブルをアドレステーブル記憶部４６に記憶する。
【０１２８】
これにより、照明制御システムでは、上述したように端末装置７や照明制御装置１を利用者が操作してアドレステーブルを設定する場合と比較して、アドレステーブルの設定をより簡易に行うことができる。
【０１２９】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【０１３０】
【発明の効果】
請求項１に係る発明によれば、照明制御信号を照明装置まで送信するに際して、アドレステーブルを参照し、受信したときの受信チャネル番号情報に対応した送信チャネル番号情報により照明制御信号送信装置から照明装置に照明制御信号を送信するときの送信チャネル番号を認識し、認識した送信チャネル番号で照明制御信号受信装置から照明装置に照明制御信号を送信するためのデータを作成するので、アドレステーブルの内容に応じて、チャネルの割付を全て設定することができ、物理的な配線を必要としない。
したがって、この照明制御信号送信装置によれば、チャネルの割り当てを柔軟且つ簡易に行うことができ、更に、物理的なケーブルを新たに施設する必要なくチャネルの割り当てをすることができる。更に、請求項１に係る発明によれば、アドレステーブルに、受信手段で照明制御信号を受信するのに使用した受信ポート番号情報と、照明制御信号の送信先である照明制御信号受信装置の送信先アドレス情報と、上記照明制御信号受信装置から照明装置に第１プロトコルに従って照明制御信号を送信するのに使用する送信ポート番号情報とが更に格納されているので、チャネルのみならず、受信手段で受信したときのポート、照明制御信号受信装置のアドレス及び照明装置に出力するときのポートを更に指定することができる。
【０１３１】
また、請求項１に係る発明によれば、アドレステーブルを参照して送信するデータを生成して照明制御信号を送信することができるので、ポート単位で指定して信号を送信する場合と比較して細かいチャネルの割り当てが実現できる。
【０１３２】
更に、請求項１に係る発明によれば、アドレステーブルのチャネル割付に際して照明制御信号の入力及び出力共に制限されることが無く、受信した信号経路を自由に指定することができる。
【０１３３】
更にまた、請求項１に係る発明によれば、物理的なケーブルの敷設が必要なのを論理チャネルを使用して理論上で無数のチャネルを扱うことができる。
【０１３４】
更にまた、請求項１に係る発明によれば、照明制御信号受信装置の設定などを考慮することなく、アドレステーブルの設定で全ての経路を指定することができる。
【０１３５】
請求項２に係る発明によれば、チャネルを複数連続して指定する送信チャネル番号情報を含むアドレステーブルを参照して第２プロトコルに従ったデータを送信するので、連続した一連のチャネルを一括して指定することができるので、１チャネルごとに指定した場合と比較してより簡易に照明制御信号の送信を行うことができる。
【０１３６】
また、請求項２に係る発明によれば、相互に隣接した各照明装置には連続したチャネル番号が割り当てられることが多いことを利用し、連続した一連のチャネル番号を割り当てることができるので、連続したチャネル番号を有する照明装置に対するチャネル割り当てを容易とすることができる。
【０１３７】
請求項３に係る発明によれば、一のチャネルを指定する受信チャネル番号情報と、チャネルを複数連続して指定する送信チャネル番号情報とを対応付けしたアドレステーブルを参照して、一のチャネルを指定する受信チャネル番号情報に対応した、チャネルを複数連続して指定する送信チャネル番号情報を含む上記第２プロトコルに従ったデータを送信するので、一連の照明制御信号を照明制御装置から受信したときに、複数の照明制御信号送信装置に同時に配信して、各照明制御信号送信装置により自身が照明装置に送信するチャネル、チャネルに対応した照明制御信号を認識して、同時に複数の照明装置を動作させることができる。
【０１３８】
請求項４に係る発明によれば、チャネルを複数連続して指定する受信チャネル番号情報と、一のチャネルを指定する送信チャネル番号情報とを対応付けしたアドレステーブルを参照して、チャネルを複数連続して指定する受信チャネル番号情報に対応した、一のチャネルを指定する送信チャネル番号情報を含む上記第２プロトコルに従ったデータを送信するので、一つのケーブルに接続された一系統の同じ又は異なる照明装置を複数の照明制御装置から操作することができる。
【０１４０】
請求項５に係る発明によれば、利用者に操作されてアドレステーブルの設定をする端末装置と接続され、この端末装置からの情報に基づいてアドレステーブルを作成してアドレステーブル記憶手段に記憶する端末装置接続手段を更に備えるので、利用者の要望に応じた照明装置を制御するようにアドレステーブルを参照した照明制御信号の送信を行うことができる。
【０１４１】
請求項６に係る発明によれば、端末装置が照明制御装置であるので、照明制御装置で利用者が照明制御信号と共にアドレステーブルの設定をすることができる。
【０１４２】
請求項７に係る発明によれば、外部からの要求に応じてアドレステーブル設定画面画像データを送信し、このアドレステーブル設定画面画像データを送信したことに応じて受信したアドレステーブル設定情報に従ってアドレステーブルを作成するので、アドレステーブルの作成を容易にすることができる。
【０１４３】
請求項８に係る発明によれば、照明制御装置で生成した照明制御信号を照明装置まで送信するに際して、受信したときの受信チャネル番号情報に対応した送信チャネル番号情報により照明制御信号送信装置から照明装置に照明制御信号を送信するときの送信チャネル番号を認識し、認識した送信チャネル番号で照明制御信号受信装置から照明装置に照明制御信号を送信するためのデータを照明制御信号送信装置で作成するので、アドレステーブルの内容に応じて、チャネルの割付を全て設定することができ、物理的な配線を必要としない。したがって、この照明制御信号送信装置によれば、チャネルの割り当てを柔軟且つ簡易に行うことができ、更に、物理的なケーブルを新たに施設する必要なくチャネルの割り当てをすることができる。更に、請求項８に係る発明によれば、アドレステーブルに、受信手段で照明制御信号を受信するのに使用した受信ポート番号情報と、照明制御信号の送信先である照明制御信号受信装置の送信先アドレス情報と、上記照明制御信号受信装置から照明装置に第１プロトコルに従って照明制御信号を送信するのに使用する送信ポート番号情報とが更に格納されているので、チャネルのみならず、受信手段で受信したときのポート、照明制御信号受信装置のアドレス及び照明装置に出力するときのポートを更に指定することができる。
【０１４４】
請求項９に係る発明によれば、照明制御信号生成手段装置で生成した照明制御信号を照明装置まで送信するに際して、照明制御信号送信装置から照明装置に照明制御信号を送信するときの送信チャネル番号を認識し、認識した送信チャネル番号で照明制御信号受信装置から照明装置に照明制御信号を送信するためのデータを作成するので、アドレステーブルの設定を信号線や通信を利用して行う必要が無く、簡易な構成のシステムを構築することができる。更に、請求項９に係る発明によれば、アドレステーブルに、受信手段で照明制御信号を受信するのに使用した受信ポート番号情報と、照明制御信号の送信先である照明制御信号受信装置の送信先アドレス情報と、上記照明制御信号受信装置から照明装置に第１プロトコルに従って照明制御信号を送信するのに使用する送信ポート番号情報とが更に格納されているので、チャネルのみならず、受信手段で受信したときのポート、照明制御信号受信装置のアドレス及び照明装置に出力するときのポートを更に指定することができる。
【図面の簡単な説明】
【図１】本発明を適用した照明制御システムの構成を示すブロック図である。
【図２】本発明を適用した照明制御システムで伝送される信号形態を説明するためのずであり、（Ａ）は照明制御装置から入力側照明制御信号中継装置に送信されるＤＭＸ５１２規格に準じた信号内容を示し、（Ｂ）は入力側照明制御信号中継装置により変換された後のデータであってＬＡＮ回線上で伝送されるデータ内容を示し、（Ｃ）は出力側照明制御信号中継装置により再度変換された後のＤＭＸ５１２規格に準じた信号内容を示し、（ａ）はＬＡＮ回線上で伝送されるＩＰパケットの構成を示し、（ｂ）はＤＭＸ５１２フォーマットにおける信号形態を示し、（ｃ）はＤＭＸ５１２フォーマットで照明制御信号を伝送するときの一例を示す。
【図３】本発明を適用した照明制御システムにおける照明制御装置の構成を示すブロック図である。
【図４】入力側照明制御信号中継装置及び出力側照明制御信号中継装置の構成を示すブロック図である。
【図５】本発明を適用した照明制御システムにおける調光盤の構成を示すブロック図である。
【図６】入力側照明制御信号中継装置による第１チャネル番号割付処理を行ったときのアドレステーブルの一例を示す図である。
【図７】入力側照明制御信号中継装置による第２チャネル番号割付処理を行ったときのアドレステーブルの一例を示す図である。
【図８】本発明を適用した照明制御システムにおいて、入力側照明制御信号中継装置による第１スプリット処理を説明するための図である。
【図９】第１スプリット処理を行うために必要なアドレステーブルを説明するための図である。
【図１０】本発明を適用した照明制御システムにおいて、入力側照明制御信号中継装置による第２スプリット処理を説明するための図である。
【図１１】本発明を適用した照明制御システムにおいて、入力側照明制御信号中継装置による第３スプリット処理を説明するための図である。
【図１２】本発明を適用した照明制御システムにおいて、入力側照明制御信号中継装置による第１マージ処理を説明するための図である。
【図１３】第２マージ処理を行うために、一方の入力側照明制御信号中継装置に必要なアドレステーブルを説明するための図である。
【図１４】第２マージ処理を行うために、他方の入力側照明制御信号中継装置に必要なアドレステーブルを説明するための図である。
【図１５】本発明を適用した照明制御システムにおいて、入力側照明制御信号中継装置による第２マージ処理を説明するための図である。
【図１６】本発明を適用した照明制御システムにおいて、入力側照明制御信号中継装置による第３マージ処理を説明するための図である。
【図１７】本発明を適用した照明制御システムにおいて、入力側照明制御信号中継装置による第４マージ処理を説明するための図である。
【図１８】本発明を適用した照明制御システムにおける照明制御装置の他の構成を示すブロック図である。
【図１９】従来の照明制御システムの構成を示すブロック図である。
【符号の説明】
１  照明制御装置
２  入力側照明制御信号中継装置
３  ハブ
４  照明装置
５  出力側照明制御信号中継装置
６  調光盤
７  端末装置
１１  ＬＡＮ回線
２１  データ記憶部
２２  表示部
２３  再生部
２４  操作入力部
２５  コンソール制御部
２６  ＤＭＸ送信部
３１  ＤＭＸ受信部
３２  ＤＭＸ送信部
３３  イーサネットインターフェイス
４１  ＤＭＸインターフェイス
４２  ＤＭＸ受信部
４３  受信バッファ
４４  プロトコル変換部
４５  制御部
４６  アドレステーブル記憶部
４７  設定部
４８  送信バッファ
４９  イーサネット送信部
５０  イーサネット受信部
５１  受信バッファ
５２  プロトコル変換部
５３  送信バッファ
５４  ＤＭＸ送信部
５５  ＤＭＸインターフェイス
７１，７４  ポート番号
７２，７５  チャネル番号
７３  ＩＰアドレス
７６，７８  スタートチャネル番号
７７，７９  エンドチャネル番号
【図１】
0004396052.tif 000002
【図２】
0004396052.tif 000003
【図３】
0004396052.tif 000004
【図４】
0004396052.tif 000005
【図５】
0004396052.tif 000006
【図６】
0004396052.tif 000007
【図７】
0004396052.tif 000008
【図８】
0004396052.tif 000009
【図９】
0004396052.tif 000010
【図１０】
0004396052.tif 000011
【図１１】
0004396052.tif 000012
【図１２】
0004396052.tif 000013
【図１３】
0004396052.tif 000014
【図１４】
0004396052.tif 000015
【図１５】
0004396052.tif 000016
【図１６】
0004396052.tif 000017
【図１７】
0004396052.tif 000018
【図１８】
0004396052.tif 000019
【図１９】
0004396052.tif 000020